【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
撮影手段と、
撮影が指示される前に、前記撮影手段が撮影した画像を解析して該画像から複数の被写体を検出する解析手段と、
前記解析手段の解析結果に基づき前記画像を処理する画像処理手段と
を備える撮像装置であって、
前記撮影手段は、前記撮影の指示に応じて、前記解析手段による解析結果に基づき、前記複数の被写体のうちの第１の被写体のために設定された撮影条件を用いて前記第１の被写体のための第１の撮像を行い、前記解析結果に基づき、前記複数の被写体のうちの第２の被写体のために設定された撮影条件を用いて前記第２の被写体のための第２の撮像を行い、
前記解析手段は、前記第１の撮像で生成された第１の画像データと前記第２の撮像で生成された第２の画像データを解析し、
前記画像処理手段は、前記第１の画像データに含まれる第１の被写体領域が所定の条件を満たせば、前記第１の被写体のために設定されたパラメータを用いて第１の画像データに対して画像処理を行い、前記第１の画像データに含まれる前記第１の被写体領域が所定の条件を満たさず、かつ、前記第２の画像データに含まれる前記第１の被写体領域が所定の条件を満たすならば、前記第１の被写体のために設定されたパラメータを用いて第２の画像データに対して画像処理を行う
ことを特徴とする撮像装置。
【請求項２】
前記撮影条件は、露出条件、フラッシュ光の強度に関する条件、又は、ＩＳＯ感度に関する条件であって、
前記解析手段は、前記第１の画像データに含まれる前記第１の被写体領域の輝度値と所定値との差分が所定の条件を満たせば、前記第１の被写体のために設定されたパラメータを用いて前記第１の画像データに対して画像処理を行うことを特徴とする請求項１に記載の撮像装置。
【請求項３】
前記撮影条件は、フォーカス位置に関する条件であって、
前記解析手段は、前記第１の画像データに含まれる前記第１の被写体領域に含まれる画素の鮮鋭度が所定の条件を満たせば、前記第１の被写体のために設定されたパラメータを用いて前記第１の画像データに対して画像処理を行うことを特徴とする請求項１に記載の撮像装置。
【請求項４】
前記画像処理は、前記第１の被写体に基づくトリミング処理を含むことを特徴とする請求項１乃至３のいずれか１項に記載の撮像装置。
【請求項５】
前記解析手段は、少なくとも前記第１の撮像と前記第２の撮像との間で撮影環境に変化が生じていないと判定される場合に、前記第１の被写体のために設定されたパラメータを用いて前記第１の画像データに対して画像処理を行うことを特徴とする請求項１乃至４のいずれか１項に記載の撮像装置。
【請求項６】
前記解析手段は、前記第１の画像データと前記第２の画像データで検出された同一の被写体につき、前記第１の画像データと前記第２の画像データとの間で被写体の移動量が所定の移動量を超えない場合、前記第１の画像データと前記第２の画像データとの間で画角の変化量が所定の変化量を超えない場合、および、前記第１の画像データと前記第２の画像データとの間で輝度値の変化量が所定の輝度変化量を超えない場合の少なくとも１つの条件が満たされる場合に、前記第１の画像データと前記第２の画像データとの間で前記撮影環境に変化が生じていないと判定することを特徴とする請求項５に記載の撮像装置。
【請求項７】
前記画像処理には、前記第１の被写体領域に含まれる被写体の種類に応じたフィルタを用いた色フィルタ処理が含まれることを特徴とする請求項１乃至６のいずれか１項に記載の撮像装置。
【請求項８】
前記撮影手段は、撮影が指示される前に、前記画像から検出された被写体の数と同回数、又は、所定の回数だけ複数の撮影を行うことを特徴とする請求項１乃至７のいずれか１項に記載の撮像装置。
【請求項９】
撮影手段と、
撮影が指示される前に、前記撮影手段が撮影した画像を解析して該画像から複数の被写体を検出する解析手段と、
前記解析手段の解析結果に基づき前記画像を処理する画像処理手段と
を備える撮像装置の制御方法であって、
前記撮影手段が、前記撮影の指示に応じて、前記解析手段による解析結果に基づき、前記複数の被写体のうちの第１の被写体のために設定された撮影条件を用いて前記第１の被写体のための第１の撮像を行い、前記解析結果に基づき、前記複数の被写体のうちの第２の被写体のために設定された撮影条件を用いて前記第２の被写体のための第２の撮像を行う工程と、
前記解析手段が、前記第１の撮像で生成された第１の画像データと前記第２の撮像で生成された第２の画像データを解析する工程と、
前記画像処理手段が、前記第１の画像データに含まれる第１の被写体領域が所定の条件を満たせば、前記第１の被写体のために設定されたパラメータを用いて第１の画像データに対して画像処理を行い、前記第１の画像データに含まれる前記第１の被写体領域が所定の条件を満たさず、かつ、前記第２の画像データに含まれる前記第１の被写体領域が所定の条件を満たすならば、前記第１の被写体のために設定されたパラメータを用いて第２の画像データに対して画像処理を行う工程と
を含むことを特徴とする撮像装置の制御方法。
【請求項１０】
撮影手段を備える撮像装置を、請求項１乃至８のいずれか１項に記載の撮像装置の解析手段及び画像処理手段として機能させるためのプログラム。
【手続補正２】
【補正対象書類名】明細書
【補正対象項目名】０００７
【補正方法】変更
【補正の内容】
【０００７】
上記課題を解決する本発明は、撮像装置であって、
撮影手段と、
撮影が指示される前に、前記撮影手段が撮影した画像を解析して該画像から複数の被写体を検出する解析手段と、
前記解析手段の解析結果に基づき前記画像を処理する画像処理手段と
を備える撮像装置であって、
前記撮影手段は、前記撮影の指示に応じて、前記解析手段による解析結果に基づき、前記複数の被写体のうちの第１の被写体のために設定された撮影条件を用いて前記第１の被写体のための第１の撮像を行い、前記解析結果に基づき、前記複数の被写体のうちの第２の被写体のために設定された撮影条件を用いて前記第２の被写体のための第２の撮像を行い、
前記解析手段は、前記第１の撮像で生成された第１の画像データと前記第２の撮像で生成された第２の画像データを解析し、
前記画像処理手段は、前記第１の画像データに含まれる第１の被写体領域が所定の条件を満たせば、前記第１の被写体のために設定されたパラメータを用いて第１の画像データに対して画像処理を行い、前記第１の画像データに含まれる前記第１の被写体領域が所定の条件を満たさず、かつ、前記第２の画像データに含まれる前記第１の被写体領域が所定の条件を満たすならば、前記第１の被写体のために設定されたパラメータを用いて第２の画像データに対して画像処理を行うことを特徴とする。
【手続補正３】
【補正対象書類名】明細書
【補正対象項目名】００３９
【補正方法】変更
【補正の内容】
【００３９】
図７は、図６の処理におけるトリミング結果の一例を示す図である。ここで、トリミング処理の対象となる画像は、２枚目のブラケット画像４０４と３枚目のブラケット画像４０５であり、１枚目のブラケット画像４０３からは被写体はトリミングされない。一方、ブラケット画像４０４からはシーン解析統合結果に従い、被写体Ａのトリミング画像７０１と、被写体Ｂのトリミング画像７０２とが生成される。また、ブラケット画像４０５からは被写体Ｃのトリミング画像７０３が生成される。